(57)【要約】【課題】  複数のシート片を谷折り線や山折り線を介して縦横に連設されると共に、複数のシート片が略重合状に折畳み、展開自在となるよう形成される折畳みシートと、この折畳みシートの表面に接着される一対の厚紙片によって折畳み状態の折畳みシートを確実に覆え、外観上の体裁が良く、折畳み展開動作が行い易く、折畳み状態がコンパクトとなる折畳み展開可能なシートを提供する。【解決手段】  複数のシート片５を谷折り線３や山折り線４を介して縦横に連設すると共に、複数のシート片５が略重合状に折畳み、展開自在となるよう形成した折畳みシート２と、折畳みシート２の対角上にあるシート片５の表面に接着すると共に、シート片５より僅かに大きい一対の厚紙片１とから構成する。【選択図】図１
0003127067.tif 000002
【実用新案登録請求の範囲】
【請求項１】
複数のシート片を谷折り線や山折り線を介して縦横に連設されると共に、複数のシート片が略重合状に折畳み、展開自在となるよう形成される折畳みシートと、この折畳みシートの対角上にあるシート片の表面に接着されるシート片より僅かに大きい一対の厚紙片とからなることを特徴とする折畳み展開可能なシート。
【考案の詳細な説明】
【技術分野】
【０００１】
本考案は、折畳み方の特性と折畳み完成露出部に貼り付けられている一対の厚紙片により開閉を容易にするように工夫した折畳み展開可能なシートに関するものである。
【背景技術】
【０００２】
一般に、例えば大判地図等においては、持ち歩くには不便であるから、経文折りとされ、必要に応じて部分的に見開いて使用されるのが普通である。つまり、左右を長手方向とされる長方形の同地図は、印刷面を上に向けた状態として中央の中央折線を基準として、谷折り、山折りを繰り返して同中央折線に対して対称に折り畳まれる。そして、全体を経文状に折り畳まれた地図は、互いに平行な２つの谷折り線に沿い、所謂３つ折りの状態で帯行されることになる。
【０００３】
そして、前述のような地図では、折畳み完成時の大きさが、例えば、ポケットに収納するには大きいものとなることが多く、上述のような折畳み型であるので、開閉が困難であるため例えば、特許文献１に示すような折畳みシート等が提案されるようになった。
【０００４】
これは、折畳み状態であるか又は拡げた状態であるかを問わず、その中に折り目を有し、さらに折り目は消えること拡げられ再び折畳み可能な折り目を有する材料シートを設けてコンパクトに折畳むことを可能とする折畳みシートである。
【０００５】
【特許文献１】特公平８-２３７３２
【考案の開示】
【考案が解決しようとする課題】
【０００６】
ところが、前述の如き従来の折畳みシートにあっては、開閉の際に困難を伴い、シートの破損に繋がる難点等があった。
【０００７】
そこで、本考案は、前述の如き課題を解消し開閉の際に困難を解消可能なようにシートを折畳み、加えて、折畳み完成時露出部に一対の厚紙片を設けることで、誰もが容易に展開を可能にし、シートの破損を減少させ、外観上の体裁も良く、コンパクトな折畳み展開可能なシートを提供できるようにすべく案出されたものである。
【課題を解決するための手段】
【０００８】
しかして、請求項１記載の折畳み展開可能なシートにあっては、複数のシート片５を谷折り線３や山折り線４を介して縦横に連設されると共に、複数のシート片５が略重合状に折畳み、展開自在となるよう形成される折畳みシート２と、この折畳みシート２の対角上にあるシート片５の表面にシート片より僅かに大きい一対の厚紙片が接着される厚紙片１とからなるよう構成する手段を採用した。
【考案の効果】
【０００９】
従って、請求項１記載の折畳み展開可能なシートによれば、開閉の困難を生じることなく容易に展開可能となる。しかも、収納にも適し、かつ、携帯を容易にする優れたものとなる。
【００１０】
特に、折畳み状態はコンパクトとなり、一対の厚紙片１によって折畳まれた折畳みシート２を確実に覆えるようになり、外観上の体裁が良いものとなる。
加えて、一対の厚紙片１によって、折畳みシート２の折畳み展開動作が行い易くなり、誰にでも取扱い易いものとなる。加えて、シートの破損を減少させることができる。
【考案を実施するための最良の形態】
【００１１】
以下、本考案を図示例に基づいて説明すると、次の通りである。
本考案は、例えば、シートを展開可能にするよう折畳みが工夫されており、シートの折畳み完成時露出部に接着されているシート片より僅かに大きい一対の厚紙片１組からなり、展開自在となるよう形成される折畳み展開可能なシートである。
【００１２】
そして、この折畳みシートは、複数の略矩形状（例えば、平行四辺形状、台形状、或いは長方形状）を呈するシート片５を谷折り線３や山折り線４を介して縦横に連設されると共に、複数のシート片５が略重合状に折畳み、展開自在となるよう形成され、且つ展開状態が略矩形状を呈する折畳みシート２と、この折畳みシート２の対角上にあるシート片５の表面に接着されると共に、シート片５より僅かに大きい一対の厚紙片１とで構成されている。
【００１３】
尚、例えば厚紙片１の表面には、名刺や、会社案内等あらゆる情報を記載しておくことをも可能としいずれか一つに限定するものではない。例えば、名刺として使用する場合には、会社名、住所、氏名、部署名、役職名、電話番号、ＦＡＸ番号、メールアドレス等の名刺としての必要情報を印刷することも可能である。また、折畳みシート２の表面や裏面にも、例えば、地図、会社案内、商品案内、広告等の適宜関連情報を印刷することを可能とし、いずれか一つに限定するものではない。
すなわち、多量の関連情報を小さく折畳める折畳みシート片に付加できるよう構成されたものである。
【実施例】
【００１４】
前記厚紙片１は、例えば、適宜紙材や、適宜木製シート材や、適宜合成樹脂製シート材や、適宜金属製シート材や、或いは、これらの複合材等によって形成されたものである。
しかも、厚紙片１は、折畳み状態としたときの折畳みシート２のカバーも兼ねるので、その強度や、剛性や、耐久性に優れたものが望ましく、特に、折畳みシート２よりも剛性を高めることにより、一対の厚紙片１を手指で掴んだ状態での折畳みシート２の展開作業や、折畳み作業等がよりスムーズに行えるようにしてある。
【００１５】
また、一対の厚紙片１の表面に印刷される必要情報としては、一対の厚紙片１の表面夫々に同じ必要情報を印刷しても良いし、或いは、一方の厚紙片１の表面と、他方の厚紙片１の表面とで、夫々異なる必要情報を印刷しても良い。
【００１６】
前記折畳みシート２は、例えば、適宜紙材や、適宜合成樹脂製シート材や、或いは、これらの複合材等によって、全体略矩形状（或いは、その他の形状でも良い）に形成され、しかも、この折畳みシート２に複数の谷折り線３と山折り線４とを略縦横方向に沿って適宜配することで、厚紙片１より小さい複数のシート片５が形成され、このシート片５夫々が重なるように折畳め、更に、この折畳み状態からスムーズに展開状態に移行できるよう構成されている。
【００１７】
ところで、谷折り線３と山折り線４が設けられている図示例の折畳みシート２は、例えば、頂点及び隣合った２側辺を共有させた状態で略矢羽根状に配置された４個の平行四辺形で構成された基本領域の集合で作られ、矢羽根方向と交差する方向の側辺のうち矢羽根方向に隣合ったものどうしが相反するように且つ矢羽根方向に対し直角な方向に隣合ったものどうしが同方向に山折り（山折り線４）、谷折り（谷折り線３）とされ、矢羽根方向に平行な側辺のうち矢羽根方向に隣合ったものどうし並びに矢羽根方向に直角な方向に隣合ったものどうしが相反するように山折り（山折り線４）、谷折り（谷折り線３）に折畳まれるものである。
【００１８】
尚、本考案の折畳み展開可能なシートの具体的構成、形状、寸法、材質、厚紙片１の具体的構成、形状、寸法、材質、折畳みシート２への配置状態、具体的な接着手段、具体的な関連情報の内容、折畳みシート２の具体的構成、形状、寸法、材質、具体的な折畳み手段、具体的な関連情報の内容、谷折り線３の具体的構成、形状、寸法、配設位置、数、山折り線４の具体的構成、形状、寸法、配設位置、数、シート片５の具体的構成、形状、寸法、材質、配設位置、数等は図示例のもの等に限定されることなく、適宜自由に設定、変更できるものである。
【図面の簡単な説明】
【００１９】
【図１】本考案の折畳み展開可能なシートを例示する展開図である。
【図２】本考案の折畳み展開可能なシートを例示する展開途中段階の斜視図である。
【図３】本考案の折畳み展開可能なシートを例示する折畳み状態の斜視図である。
【符号の説明】
【００２０】
１    厚紙片
２    折畳みシート
３    谷折り線
４    山折り線
５    シート片
【図１】
0003127067.tif 000003
【図２】
0003127067.tif 000004
【図３】
0003127067.tif 000005